(57)【要約】【課題】ワンタッチで強固にロックすることが可能で、しかも簡単にロック解除することができる時計用リューズ構造を提供することにある。【解決手段】リューズ２６の内周部には突起部３０が設けられ、リューズパイプ２４の外周部には溝部２４ｅが設けられている。溝部２４ｅの軸方向最外部付近の内側面には、突起部３０を溝部２４ｅの奥へ誘導する曲面からなる誘導部２４ｈ，２４ｉが設けられている。溝部２４ｅには、突起部３０が乗り越え可能な突出部３２が設けられている。リューズ２６を回転又は押し込むと、突起部３０が誘導部２４ｈ，２４ｉにより溝部２４ｅ内に誘導される。誘導された突起部３０は、溝部２４ｅ内の突出部３２を乗り越え、突起部３０が突出部３２によって係合保持されてリューズ２６がロック状態になる。【選択図】  図２
2007132779.tif 000002
【特許請求の範囲】
【請求項１】
リューズの内周部とこれに対面するリューズパイプの外周部の、一方に少なくとも１箇所突起部を設け、他方に少なくとも１箇所溝部を設け、前記突起部を前記溝部に嵌入させることにより前記リューズと前記リューズパイプとが係合する時計用リューズ構造であって、
前記突起部を前記溝部に誘導する誘導部を前記溝部の軸方向最外部付近に設け、
前記溝部の内側に突出部を設け、前記誘導部により前記溝部内に誘導された前記突起部が前記突出部を乗り越えることでロック状態になることを特徴とする時計用リューズ構造。
【請求項２】
前記溝部は、前記突起部を誘導することで前記リューズを回転誘導させる形状を有することを特徴とする請求項１記載の時計用リューズ構造。
【請求項３】
前記突出部は、前記リューズとリューズパイプとをロックするときに前記突起部が当接する方向の面が緩やかな傾斜面からなり、前記リューズとリューズパイプとのロック状態を解除するときに前記突起部が当接する方向の面が直立した面からなることを特徴とする請求項１又は２記載の時計用リューズ構造。
【請求項４】
前記突出部は、出没自在に設けられていることを特徴とする請求項１記載の時計用リューズ構造。
【請求項５】
前記突出部は弾性部材からなることを特徴とする請求項１記載の時計用リューズ構造。
【発明の詳細な説明】
【技術分野】
【０００１】
本発明は、時計のリューズ構造に関するものであり、特に、防水性の強化、誤操作防止等のためにリューズをロックすることが可能な時計用リューズ構造に関するものである。
【背景技術】
【０００２】
従来のこの種のリューズ構造としては、リューズを螺合させることによりロックするネジロックリューズがあった。このネジロックリューズは、図１１に示すように、胴２に固定され且つ外方端の外周にネジ部４ａを有するパイプ４と、このパイプ４内に通された真部６と、この真部６にバネ８を介して取り付けられるリューズ１０とから概ね構成されている。このリューズ１０には、パイプ４に対面する内周面にネジ部１０ａが設けられている。このネジロックリューズにおいては、リューズ１０のネジ部１０ａをパイプ４のネジ部４ａに螺合することによりロックされるものとなっていた（特許文献１の第１図参照）。
【０００３】
しかしながら、上記のようなネジロックリューズでは、ネジ部分に異物やゴミが存在すると完全に締め付けることができず、不完全なロック状態になることがあった。また、パイプ４とリューズ１０とを完全に螺合させるには、リューズ１０を多数確実に回さなければならず、ロックが完了するまでに時間がかかるという問題もあった。更に、過大な力でリューズ１０を回転操作すると、ネジ部４ａ，１０ａが破損したり、ロック解除し難くなることもあった。
【０００４】
ネジロックリューズには、上記のような問題点の他に構造が複雑になる等の問題点があったため、図１２に示すように、胴１２に取り付けられたパイプ１４の先端外周に凸部１４ａを設けると共にリューズ２０の内部に凸部１４ａに適合する凹部２０ａを設け、リューズ２０を軸方向に押し込むことで凸部１４ａと凹部２０ａを嵌合させてロックするリューズ構造が提案されていた（特許文献１の第２図参照）。
【０００５】
しかしながら、このリューズ構造において、強力な防水性や確実な操作感を得るためには、凸部１４ａと凹部２０ａとを強固に嵌合させることが必要であり、このように凸部１４ａと凹部２０ａとが強固に嵌合するように構成すると、リューズ２０を押し込んだり引き出すために強い力が必要になる。このため、操作がし難くなって、指先を傷めること等が問題となるものであった。
【特許文献１】実開昭５４−１２９３６７号公報
【発明の開示】
【発明が解決しようとする課題】
【０００６】
本発明の課題は、上記問題点を解決し、ワンタッチで強固にロックすることが可能であり、しかも簡単にロック解除することができる時計用リューズ構造を提供することにある。
【課題を解決するための手段】
【０００７】
本発明の時計用リューズ構造は、リューズの内周部とこれに対面するリューズパイプの外周部の、一方に少なくとも１箇所突起部を設け、他方に少なくとも１箇所溝部を設け、前記突起部を前記溝部に嵌入させることにより前記リューズと前記リューズパイプとが係合する時計用リューズ構造であって、前記突起部を前記溝部に誘導する誘導部を前記溝部の軸方向最外部付近に設け、前記溝部の内側に突出部を設け、前記誘導部により前記溝部内に誘導された前記突起部が前記突出部を乗り越えることでロック状態になるものである
。また、前記溝部は、前記突起部を誘導することで前記リューズを回転誘導させる形状を有している。また、前記突出部は、前記リューズとリューズパイプとをロックするときに前記突起部が当接する方向の面が緩やかな傾斜面からなり、前記リューズとリューズパイプとのロック状態を解除するときに前記突起部が当接する方向の面が直立した面からなる。また、前記突出部は、出没自在に設けられている。また、前記突出部は弾性部材からなる。
【発明の効果】
【０００８】
本発明によれば、突起部が誘導部によって溝部内に誘導されることでロック方向に導かれると共に、溝部内に設けられた突出部を乗り越えることで確実にロックされる。このため、操作が非常に簡単でありながら、確実にロックすることができる。また、突起部は、溝部の形状に沿って容易に移動し、溝部内の突出部を乗り越えることでロック又はロック解除状態になる。このため、突起部が突出部を乗り越えるわずかな期間だけリューズを強く回すことが必要となるだけで、極めて容易に操作することができる。また、突起部が突出部を乗り越える際にクリック操作感が生じることになり、ロック又はロック解除を操作感で確認することができる。
【発明を実施するための最良の形態】
【０００９】
本発明の時計用リューズ構造におけるリューズの内周部とこれに対面するリューズパイプの外周部には、その一方に突起部が設けられ、他方に溝部が設けられている。この溝部の軸方向最外部付近の内側面には、突起部が当接したときに、この突起部を溝部の奥へ誘導する曲面からなる誘導部が設けられている。また、溝部奥の内側には、突起部が乗り越え可能な突出部が設けられている。
【００１０】
この時計用リューズ構造においては、リューズを回転又は押し込むことで、突起部が誘導部に当接して溝部内へ誘導される。その後、誘導された突起部は、溝部内の突出部を乗り越え、突起部が突出部によって係合保持されてリューズがロック状態になる。また、ロック状態にあるリューズを反転させると、突起部が再び突出部を乗り越えて移動可能な状態になり、ロック状態を解除することができる。
【実施例】
【００１１】
図１は本発明の一実施例に係る時計用リューズ構造を示す断面図、図２はその分解斜視図である。２４はリューズパイプであり、胴２２に設けられた径方向の貫通孔２２ａに嵌入され、固定されている。本実施例におけるリューズパイプ２４は、軸方向最内部から軸方向最外部に向かって外径が大きくなる４つの円筒形部２４ａ〜２４ｄをつなぎ合せた外形形状を有している。胴２２の貫通孔２２ａの外方開口部は、リューズパイプ２４の円筒部２４ａ〜２４ｃまでが嵌入するように外方に向かって徐々に広がる断面が段形状に設定されている。また、リューズパイプ２４の内部には、円筒形部２４ａ〜２４ｃ内を貫通する孔部２４ｊと、円筒形部２４ｄ内に設けると共に孔部２４ｊに連通し且つ径大となる径大孔部２４ｋが設けられている。尚、このリューズパイプ２４は、図１及び図２に示すものに限定されるものではなく、例えば図１０に示すように、胴２２の貫通孔２２ａに適合する円筒形部２４ｐと、その端部に設けられた円筒形部２４ｄと同様の形状をなす円筒形部２４ｑとを備えたもの等であっても良い。なお、各図とも部品の寸法は説明のために誇張して描かれている箇所もある。
【００１２】
このリューズパイプ２４の最も径大となる円筒形部２４ｄの外周部には、その軸方向最外部から軸方向最内部に向かって形成された溝部２４ｅが複数形成されている。この溝部２４ｅには、略軸方向に向かうと共に略時計方向に流れるように緩やかに傾斜する緩傾斜部２４ｆと、更に略時計方向に急に屈曲する屈曲部２４ｇとが設けられている。また、この溝部２４ｅの開口部、即ち軸方向最外部付近の内側には、後述する突起部を溝部２４ｅ
内へ誘導する緩やかな傾斜面からなる誘導部２４ｈ，２４ｉが設けられている。
【００１３】
２６は略円柱形状をなすリューズである。このリューズ２６の内部には、リューズパイプ２４に対面する方向が開口し且つリューズパイプ２４の円筒形部２４ｄの外径よりもわずかに大きい内径に設定された第１凹部２６ａが設けられている。この第１凹部２６ａは、リューズパイプ２４の円筒形部２４ｄが収納可能な奥行を有している。また、リューズ２６の内部には、第１凹部２６ａの底部から奥へ更に第２凹部２６ｂが設けられている。この第２凹部２６ｂは、第１凹部２６ａよりも内径が小さく且つ奥行も浅く、リング状のパッキン２８等を取り付けるために設けられている。この第１及び第２凹部２６ａ，２６ｂの中央には、リューズパイプ２４の径大孔部２４ｋ内に摺動自在な状態で適合する円筒状突出部２６ｃが設けられている。本実施例における円筒状突出部２６ｃ内の有底孔部２６ｄは、後述するバネ等を収めるため、第２凹部２６ｂの底部より更に奥まで形成されている。
【００１４】
３０はリューズ２６の第１凹部２６ａの開口部付近の内周部に複数設けられた突起部である。この突起部３０は、扁平な円柱形状をなし、リューズパイプ２４の溝部２４ｅに対応する位置にそれぞれ配設されている。この突起部３０は、その中心軸がリューズ２６の内周部に略直角をなすように形成されており、溝部２４ｅ内を移動可能とするため、外径が溝部２４ｅの幅よりも小さくなるように設定されている。
【００１５】
３２は溝部２４ｅの内側に設けられた突出部である。この突出部３２は、溝部２４ｅの屈曲部２４ｇの軸方向外部側に位置する内側面に設けられている。この突出部３２は、図４等に示すように、溝部２４ｅ内に入って来た突起部３０を屈曲部２４ｇの奥に保持するためのものであり、突起部３０を保持すると共に突起部３０が屈曲部２４ｇ内で乗り越えることができるように高さと形状が設定されている。例えば、図４に示す突出部３２では、突起部３０が接触する面が曲面からなる山形状をなし、突出部３２の先端とこれに対面する屈曲部２４ｇの内側面との間が突起部３０の直径より大きくなるように設定されている。
【００１６】
３４はコイルバネ、３６は真部である。コイルバネ３４は、リューズ２６の有底孔部２６ｄの底部に一端が当接し、他端が真部３６の軸方向最外部にある取付部３６ｂのコイルバネと係合する形状、例えば凹部になっている端面（図示せず）に当接するように有底孔部２６ｄ内に配設されている。なお、図１、図３等では、取付部３６ｂ、コイルバネ３４との関係を分かりやすくするために簡略して描いているが、この部分に関しては、公知のネジロックリューズと同様の構造を適用すればよい。真部３６の取付部３６ｂは、リューズ２６の有底孔部２６ｄ内に摺動自在な状態で嵌め込まれる。この真部３６の中央にある棒状部３６ａは、座４０の貫通孔に摺動自在に挿通され、更に、リューズパイプ２４の孔部２４ｊに挿通される。この棒状部３６ａのリューズパイプ２４から軸方向内部に向かって突出する部分には、パッキン３８が取り付けられる。また、座４０は、リューズ２６の有底孔部２６ｄの開口部内壁に固定されており、この座４０に取付部３６ｂが当接することにより、真部３６がリューズ２６から抜脱することを防ぐものとなっている。尚、本実施例においては、操作性を向上させるためにコイルバネ３４を介してリューズ２６と真部３６とを連結しているが、コイルバネ３４を設けずにリューズ２６と真部３６とを直接連結することもできる。
【００１７】
次に、上記構成からなる時計用リューズ構造の動作を説明する。図３に示すように、はじめにコイルバネ３４のバネ力等によって、リューズ２６がリューズパイプ２４から外方に離れた状態にあると、リューズ２６の突起部３０は、リューズパイプ２４の溝部２４ｅから外れた状態になっている。この状態においてリューズ２６は任意に回転可能となっている。
【００１８】
ここでリューズ２６を軸方向内側に押し込むと、同軸上に位置するリューズパイプ２４の円筒形部２４ｄがリューズ２６の第１凹部２６ａ内に収納され、リューズ２６の円筒状突出部２６ｃがリューズパイプ２４の径大孔部２４ｋ内に収納される。このときに、リューズ２６の突起部３０がリューズパイプ２４の溝部２４ｅ内に誘導される。このときの状態を更に詳述すると、図５に示すように、溝部２４ｅの開口部付近に達した突起部３０は、誘導部２４ｉ，２４ｈに当接し、その斜面に沿って溝部２４ｅ内へと誘導される。このときに、リューズ２６を回転させなくても軽く押し込むだけで突起部３０が誘導されて溝部２４ｅ内に入ることになる。
【００１９】
溝部２４ｅ内に入った突起部３０は、図４に示すように、リューズ２６を更に押し込むことで溝部２４ｅの緩傾斜部２４ｆから屈曲部２４ｇ内へ移動する。ここで突起部３０は、屈曲部２４ｇ内の突出部３２に当接し、リューズ２６を多少強めに（本実施例では時計方向に）回転せることで突起部３０が突出部３２を乗り越えて屈曲部２４ｇの奥に達して突出部３２によって保持される。尚、溝部２４ｅ内の底部（屈曲部２４ｇの図４中下方内面）に突起部３０が当たるまでリューズ２６を押し込み、その後、時計方向に回転させ、屈曲部２４ｇの図４中左端内面に当たったところでリューズ２６を離しても、同様に突起部３０が突出部３２よって保持される。この状態になるとリューズ２６はロック状態になる。尚、このロック状態にあるときに、リューズ２６はコイルバネ３４によって外方に付勢されているので、使用者が意図的にリューズ２６を押し込んだり強く（本実施例では反時計方向に）反転させなければ、ロック状態は安定して保たれることになる。
【００２０】
上記のようなリューズ２６のロック状態を解除するには、押し込みながら反転させるか又は多少強めに反転させることで突起部３０が突出部３２を乗り越え、突起部３０が溝部２４ｅ内を移動可能な状態になり、これによりロック解除することができる。尚、本実施例においては、突起部３０が突出部３２を乗り越えることでロック解除されると、コイルバネ３４によりリューズ２６が外方へ押し出され、突起部３０は溝部２４ｅから外れてリューズ２６が自由に回転可能な状態になる。
【００２１】
上記構造においては、突起部３０が突出部３２を乗り越えるだけでロック又はロック解除状態になるが、更に強固にロックするため、突起部３０又は突出部３２の形状等を変更しても良い。即ち、図６に示すように、突出部３２をロックするときに突起部３０が当接する方向の面３２ａが比較的緩やかな傾斜面からなり、ロック解除するときに突起部３０が当接する方向の面３２ｂが直立した面からなるように構成する。このように構成することにより、突起部３０は、ロックするときに面３２ａに沿って突出部３２を乗り越え易くなり、ロック解除するときに面３２ｂに当接して乗り越え難くなる。このため、強固にロックすることが可能となる。尚、この場合においても、溝部２４ｅ内の底部（屈曲部２４ｇの図６中下方内面）に突起部３０が当たるまでリューズ２６を押し込み、その後、時計方向に回転させ、屈曲部２４ｇの図６中左端内面に当たったところでリューズ２６を離しても、同様にロックすることが可能である。
【００２２】
また、上記のように突出部３２を構成するだけでなく、図６に示すように、突起部３０の外周面の軸方向最外部（図中上部）付近に切欠部３０ａを設け、この切欠部３０ａと突出部３２とが係合するように構成しても良い。このように構成することにより、ロックするときに突起部３０の周面が面３２ａに沿って突出部３２を容易に乗り越え、切欠部３０ａが突出部３２の位置に達するとこれらが係合してロック状態になる。このロック状態においては、突出部３２と切欠部３０ａとが係合すると共に、リューズ２６を反転させると直立した面３２ｂと切欠部３０ａの内面とが当接して係合が外れ難くなり、強固にロックすることができる。尚、ロック解除する場合には、リューズ２６を押し込みながら反転させることで面３２ｂと切欠部３０ａの内面との係合を解除し、ロック解除することができ
る。
【００２３】
一方、より容易にロック及びロック解除することができるように構成するには、突出部３２の側面をより緩やかな傾斜面にしたり、図７及び図８に示すように突出部３２が弾性を有するように構成すれば良い。即ち、図７に示すように、リューズパイプ２４の溝部２４ｅの内壁に横孔２４ｍを設け、ここにコイルバネ４２を配設し、このコイルバネ４２によって砲弾状の突出部３２を溝部２４ｅ内に向かって付勢することで突出部３２を出没自在とし、弾性を持たせることができる。この場合、横孔２４ｍに適合する管４４内にコイルバネ４２と突出部３２を収めて開口部分をカシメ等で狭めてユニット化することにより、横孔２４ｍへの組み込みを容易にすることができる。
【００２４】
また、図８に示すように、溝部２４ｅの内壁に凹部２４ｎを設け、突起部３０が当接する方向に弾性を持つように板バネを山形状に屈曲させて形成した突出部３２を嵌め込むことで突出部３２に弾性を持たせることができる。
【００２５】
上記のように突出部３２に弾性を持たせることにより、この突出部３２を突起部３０が乗り越える際に、突出部３２が引っ込んだり弾性変形することによって突出部３２を乗り越え易くすることができる。尚、この構造においては、コイルバネや板バネのバネ力を調整することで、ロック又はロック解除時の操作感を調整することが可能である。
【００２６】
また、ロック又はロック解除時の操作感を変更するには、図９に示すように、溝部２４ｅの緩傾斜部２４ｆに対する屈曲部２４ｇがなす角度を大きくして突出部３２を乗り越え易くし、これにより操作感を変更することもできる。また、このように屈曲部２４ｇが屈曲する角度を浅くしても、突出部３２を設けることで突起部３０を確実に保持してロックすることが可能であり、溝部２４ｅを設けるスペースや数等に応じて屈曲部２４ｇがなす角度を任意に設定することができる。
【００２７】
尚、上記実施例においては、リューズ２６に突起部３０を設け、リューズパイプ２４に溝部２４ｅを設けているが、リューズ２６に溝部を設け、リューズパイプ２４に突起部を設けても上記実施例と同様の作用、効果を得ることができる。なお、突起部３０やそれに対応する溝部２４ｅ、突出部３２は１箇所あれば効果を発揮するが、上述のように複数あればなお望ましい。また、突起部３０、溝部２４ｅ、突出部３２にＤＬＣ（ダイヤモンド・ライク・カーボン）のような被膜を設けてもよいことは言うまでもない。
【産業上の利用可能性】
【００２８】
本発明の時計用リューズ構造は、高い防水性を必要とするダイバーウォッチ等の時計に最も適しており、その他、一般の時計あるいは時刻修正操作をほとんど必要としない電波時計等においてもリューズの誤操作防止のために使用することが望ましい。また、リューズだけでなく、プッシュボタンにも用いることができる。
【図面の簡単な説明】
【００２９】
【図１】本発明の一実施例に係る時計用リューズ構造を示す断面図である。
【図２】図１に示す時計用リューズ構造の分解斜視図である。
【図３】図１に示すロック解除状態にある時計用リューズ構造を示す断面図である。
【図４】ロック又はロック解除時における突出部と突起部の状態を示す溝部内の部分拡大図である。
【図５】溝部に突起部が誘導される状態を示す溝部付近を示す説明図である。
【図６】突出部及び突起部の変更例を示す溝部内の部分拡大図である。
【図７】突出部の変更例を示す突出部周辺の拡大断面図である。
【図８】突出部の他の変更例を示す突出部周辺の拡大断面図である。
【図９】溝部の変更例を示す説明図である。
【図１０】図１等に示すリューズパイプの他の例を示す断面図である。
【図１１】従来のリューズ構造を示す断面図である。
【図１２】従来のリューズ構造を示す断面図である。
【符号の説明】
【００３０】
２，１２      胴
４，１４      パイプ
４ａ          ネジ部
６            真部
８            バネ
１０，２０    リューズ
１０ａ        ネジ部
１４ａ        凸部
２０ａ        凹部
２２          胴
２２ａ        貫通孔
２４          リューズパイプ
２４ａ〜２４ｄ  円筒形部
２４ｅ        溝部
２４ｆ        緩傾斜部
２４ｇ        屈曲部
２４ｈ，２４ｉ  誘導部
２４ｊ        孔部
２４ｋ        径大孔部
２４ｍ        横孔
２４ｎ        凹部
２６          リューズ
２６ａ        第１凹部
２６ｂ        第２凹部
２６ｃ        円筒状突出部
２６ｄ        有底孔部
２８          パッキン
３０          突起部
３０ａ        切欠部
３２          突出部
３２ａ，３２ｂ  面
３４          コイルバネ
３６          真部
３６ａ        棒状部
３６ｂ        取付部
３８          パッキン
４０          座
４２          コイルバネ
４４          管
【図１】
2007132779.tif 000003
【図２】
2007132779.tif 000004
【図３】
2007132779.tif 000005
【図４】
2007132779.tif 000006
【図５】
2007132779.tif 000007
【図６】
2007132779.tif 000008
【図７】
2007132779.tif 000009
【図８】
2007132779.tif 000010
【図９】
2007132779.tif 000011
【図１０】
2007132779.tif 000012
【図１１】
2007132779.tif 000013
【図１２】
2007132779.tif 000014